(57)【特許請求の範囲】
【請求項１】
２次元画像が記録されている原稿を副走査方向に搬送し、第１の解像度単位系を用いて読み取る画像読み取り手段と；
上記原稿の搬送路上に上記原稿の有無を検知する原稿検知手段と；
上記原稿が上記原稿検知手段を通過する時間に基づいて、原稿を搬送するローラの寸法によって発生する上記原稿の搬送速度の誤差を検出する搬送速度検出手段と；
上記搬送速度検出手段によって検出された搬送速度の誤差に基づいて、上記画像読み取り手段が読み取った画像の副走査方向の解像度を、上記第１の解像度単位系とは異なる第２の解像度単位系に変換する場合に使用する変換値を設定する変換値設定手段と；
上記原稿検知手段によって原稿検知した後に、上記変換値設定手段によって設定された変換値を用いて、上記第２の解像度単位系に上記画像読み取り手段が読み取った画像の解像度を変換する解像度変換手段と；
上記解像度変換手段が変換した画像を出力する画像出力手段と；
を有することを特徴とする画像処理装置。
【請求項２】
請求項１において、
上記画像出力手段は、上記画像処理装置以外の画像処理装置へ、通信回線を介して、上記画像を送信する手段であることを特徴とする画像処理装置。
【請求項３】
請求項１において、
上記画像出力手段は、上記画像を記録する手段であることを特徴とする画像処理装置。
【請求項４】
請求項１において、
上記第１の解像度単位系は、インチ単位系であり、上記第２の解像度単位系は、Ｇ３ファクシミリ送信モードで用いるミリ単位系であることを特徴とする画像処理装置。
【請求項５】
請求項１において、
上記第１の解像度単位系はミリ単位系であり、上記第２の解像度単位系はインチ単位系であることを特徴とする画像処理装置。
【請求項６】
２次元画像が記録されている原稿を副走査方向に搬送し、第１の解像度単位系を用いて読み取る画像読み取り段階と；
上記原稿の搬送路上に上記原稿の有無を検知する原稿検知段階と；
上記原稿検知段階において上記原稿を検知する時間に基づいて、上記原稿の搬送速度の誤差を検出する搬送速度検出段階と；
上記搬送速度検出段階によって検出された搬送速度の誤差に基づいて、上記画像読み取り手段が読み取った画像の副走査方向の解像度を、上記第１の解像度単位系とは異なる第２の解像度単位系に変換する場合に使用する変換値を設定する変換値設定段階と；
上記画像読み取り手段が読み取った画像を、上記変換値設定段階において設定された変換値を用いて、上記第２の解像度単位系に上記画像読み取り段階で読み取った画像の解像度を変換する解像度変換段階と；
上記解像度変換段階において変換した画像を出力する画像出力段階と；
を有することを特徴とする画像処理方法。
【発明の詳細な説明】
【０００１】
【発明の属する技術分野】
本発明は、原稿に記録されている画像を読みとって、この読み取った画像を出力する画像処理装置および画像処理方法に関する。
【０００２】
【従来の技術】
従来のファクシミリ装置は、送信する画像をスキャナで読み込み、この読み込んだ画像を、所定の解像度に変換し送信する。なお、上記所定の解像度は、通信の前手順において、相手端末とのネゴシエーションによって決定する。
【０００３】
Ｇ３ファクシミリ装置は、通信する画像の解像度の単位がミリ（ｍｍ）系であるので、ミリ系の解像度でスキャナが画像を読み取る。Ｇ４ファクシミリ装置は、通信する画像の単位がインチ（ｉｎｃｈ）系であるので、インチ系の解像度でスキャナが画像を読み取る。
【０００４】
ところで、インチ系のスキャナを搭載したＧ４ファクシミリ装置で読取った２００×２００ｄｐｉ（ｄｏｔｓ  ｐｅｒ  ｉｎｃｈ）の画像を、Ｇ３ファクシミリ装置に送信する場合、Ｇ３のファクシミリ送信手順によって、８×７．７ｄｐｍ（ｄｏｔｓ  ｐｅｒ  ｍｉｌｉｍｅｔｅｒ）の解像度の画像が送信される。
【０００５】
ここで、上記Ｇ４ファクシミリ装置で読取った画像を、上記Ｇ３ファクシミリ装置にそのまま送信すると、主走査方向においては、９７．５％（７．８／８％）に縮小され、副走査方向においては、１０１．３％（７．８／７．７％）に拡大され（伸び）た状態の歪んだ画像が、受信側である上記Ｇ３ファクシミリ装置で出力される。
【０００６】
一方、ミリ系のスキャナを搭載したＧ４ファクシミリ装置で読取った８×７．７ｄｐｍの画像を、別のＧ４ファクシミリに、そのまま送信すると、主走査方向に拡大され（伸び）、副走査方向には縮小された状態の歪んだ画像が受信側である上記別のＧ４ファクシミリ装置で出力される。
【０００７】
そこで、上述の画像の歪みを修正するために、送信側ファクシミリ装置が、画像のミリ／インチ変換、またはインチ／ミリ変換を行い、画像の歪みを修正してから送信する。
【０００８】
上記変換をする場合の具体例を次に掲げる。
【０００９】
インチ単位系である２００×２００ｄｐｉの解像度で読み取った画像を、ミリ単位系の標準モード（Ｓｔｄ：３．８５Ｌｉｎｅ／ｍｍ×８Ｐｅｌ）で送信する場合には、主走査方向の解像度を２００ｄｐｉから２０３．１ｄｐｉ（２５．４／０．１２５）に変換し、副走査方向の解像度を、２００ｄｐｉから９７．８ｄｐｉ（２５．４／（１／３．８５））に変換して送信する。
【００１０】
また、インチ単位系である２００×２００ｄｐｉの解像度で読み取った画像を、ミリ単位系のファインモード（Ｆｉｎｅ：７．７Ｌｉｎｅ／ｍｍ×８Ｐｅｌ）で送信する場合には、主走査方向の解像度を２００ｄｐｉから２０３．１ｄｐｉ（２５．４／０．１２５）に変換し、副走査方向の解像度を、２００ｄｐｉから１９５．６ｄｐｉ（２５．４／（１／７．７））に変換して送信する。
【００１１】
また、インチ単位系である２００×２００ｄｐｉの解像度で読み取った画像を、ミリ単位系のスーパーファインモード（Ｓ．Ｆｉｎｅ：１５．４Ｌｉｎｅ／ｍｍ×８Ｐｅｌ）で送信する場合には、主走査方向の解像度を２００ｄｐｉから２０３．１ｄｐｉ（２５．４／０．１２５）に変換し、副走査方向の解像度を、２００ｄｐｉから３９１．２ｄｐｉ（２５．４／（１／１５．４））に変換して送信する。
【００１２】
次に、上記解像度変換機能を有し、等倍光学系を用いた従来の画像読み取り装置２００について説明する。
【００１３】
図６は、従来の画像読み取り装置２００の構成を示す図である。
【００１４】
画像読み取り装置２００は、制御基板２０１、主電源２０２によって構成される電気基板と、読取部２０３と、オペレーション部２０４とを有する。
【００１５】
読み取り部２０３は、原稿２１１をセットし積載する原稿トレー２０５と、上側原稿ガイド２０６と、下側原稿ガイド２０７と、複数枚の原稿２１１を順次送り出す原稿分離部２０８と、光電変換素子を用いたコンタクトセンサ２０９と、読み取り基準板２１０とを有する。
【００１６】
なお、上側原稿ガイド２０６は、原稿２１１を搬送するときに、原稿２１１をガイドするガイドであり、読み取り基準板２１０は、コンタクトセンサ２０９と対向し、コンタクトセンサ２０９の上面に設けられている。また、読み取り基準板２１０は、原稿２１１の背景色（バックグランドカラー）になっている。
【００１７】
また、コンタクトセンサ２０９は、コンタクトセンサホルダ２０９ａを介して、本体フレーム２１９に保持されており、読み取り基準板２１０が、自重もしくは図示しないバネ等によって、コンタクトセンサ２０９側に、原稿２１１を付勢するようになっている。
【００１８】
また、読み取り部２０３は、原稿２１１を１枚ずつ搬送するために使用する原稿分離ローラ２１２と、予備搬送板２１３と、摩擦片２１４と、原稿２１１を搬送するために使用する給送（搬送）ローラ２１５と、対向コロ２１６と、排紙ローラ２１７と、対向コロ２１８とを有する。
【００１９】
また、原稿排紙側には、排紙された原稿２１１に静電気が帯電している場合、この静電気を除去しまたは軽減する除電ブラシ２２０が設けられている。
【００２０】
原稿トレイ２０５に積載された原稿２１１が、原稿分離ローラ２１２と予備搬送板２１３とに挟まれ、摩擦片２１４によって、１枚ずつ分離される。この分離された原稿２１１は、給送ローラ２１５と対向コロ２１６とによって搬送され、コンタクトセンサ２０９と読み取り基準板２１０との間を通過して、排紙ローラ２１７と対向コロ２１８により、矢印ＡＲ２０の方向に排出される。
【００２１】
【発明が解決しようとする課題】
従来の画像読み取り装置２００は、原稿２１１を、原稿分離ローラ２１２と予備搬送板２１３とによって挟み、摩擦片２１４によって負荷（バックテンション）を与えながら、給送ローラ２１５と対向コロ２１６等とを用いて搬送し、原稿２１１を読み取るシートフィード型の読み取り装置である。
【００２２】
そして、原稿２１１をメイン搬送する給送ローラ２１５の外径寸法が原稿の搬送量を決定する。
【００２３】
ここで、給送ローラ２１５は、ローラの円筒面の材質がゴムであり、給送ローラ２１５の量産時における外径寸法において、直径で約１％弱の成形バラツキが生じる。
【００２４】
このために、同一の型式が付与されている給送ローラであっても、ローラの外径寸法のバラツキによって、正規の搬送量に対して、±１％弱の搬送量誤差を生じ、この搬送量誤差によって、原稿の搬送方向（副走査方向）の読み取り解像度の誤差が発生する。
【００２５】
そして、上述のように読み取り解像度の誤差が発生した画像を、ミリ単位系の解像度に変換し出力すると、副走査方向に伸縮した画像が出力されるという問題がある。
【００２６】
たとえば、給送ローラ２１５の外形が、正規値に対して１％大きい場合、ローラ径が正規値であれば副走査方向において２００ｄｐｉの解像度で読み取るべき原稿が、約１９８ｄｐｉの解像度で読み取られることになる。
【００２７】
そして、この約１９８ｄｐｉの解像度で読み取られた画像を、ミリ単位系の標準モードの解像度に変換すると、副走査方向において、９７．８ｄｐｉの解像度の画像に変換されるべきところ、約９６．８ｄｐｉの解像度の画像に変換され出力される。
【００２８】
なお、原稿を読み取る際、解像度の誤差を少なくするために、給送ローラ２１５の外径寸法精度を厳しく管理すると、給送ローラ２１５の製作コストが高くなる。
【００２９】
なお、上記問題は、ミリ単位系の解像度で画像を読みとって、インチ単位系の解像度に変換して出力する画像処理装置においても生じる問題である。
【００３０】
また、上記問題は、ファクシミリ装置以外の画像処理装置であるコピー機等においても生じる問題である。
【００３１】
さらに、上記問題は、原稿を固定し、画像を読み取るセンサを副走査方向に移動して原稿を読み取る画像処理装置においても生じる問題である。この問題が発生する理由は、上記コンタクトセンサを移動する機構を構成する部品の寸法精度等のバラツキによって、上記コンタクトセンサの移動量にバラツキが生じるからである。
【００３２】
すなわち、上記従来例では、原稿に記録されている画像を読み取り、この読み取った画像の解像度を変換して出力する場合、上記原稿または読み取りセンサを移動する構成部品の精度が悪いと、副走査方向において伸縮された画像が出力されるという問題がある。
【００３３】
本発明は、原稿に記録されている画像を読み取り、この読み取った画像の解像度を変換して出力する画像処理装置において、上記原稿または読み取りセンサを移動する機構部品の精度を向上させなくても、副走査方向において伸縮の少ない画像を出力することができる画像処理装置および画像処理方法を提供することを目的とする。
【００３４】
【課題を解決するための手段】
本発明は、２次元画像が記録されている原稿を副走査方向に搬送し、第１の解像度単位系を用いて読み取る画像読み取り手段と、上記原稿の搬送路上に上記原稿の有無を検知する原稿検知手段と、上記原稿が上記原稿検知手段を通過する時間に基づいて、原稿を搬送するローラの寸法によって発生する上記原稿の搬送速度の誤差を検出する搬送速度検出手段と、上記搬送速度検出手段によって検出された搬送速度の誤差に基づいて、上記画像読み取り手段が読み取った画像の副走査方向の解像度を、上記第１の解像度単位系とは異なる第２の解像度単位系に変換する場合に使用する変換値を設定する変換値設定手段と、上記原稿検知手段によって原稿検知した後に、上記変換値設定手段によって設定された変換値を用いて、上記第２の解像度単位系に上記画像読み取り手段が読み取った画像の解像度を変換する解像度変換手段と、上記解像度変換手段が変換した画像を出力する画像出力手段とを有することを特徴とする画像処理装置である。
【００３５】
【発明の実施の形態および実施例】
［第１の実施例］
図１は、本発明の第１の実施例である画像読み取り装置１００の構成を示す断面図である。
【００３６】
画像読み取り装置１００は、本体シャーシ１と、画像読み取り装置１００の制御を行う制御基板２と、電源ユニット３と、操作パネル４と、操作パネル４の制御基板５と、原稿６を積載する原稿台７とを有する。
【００３７】
電源ユニット３は、画像読み取り装置１００へ電力を供給するユニットであり、操作パネル４は、画像読み取り装置１００をオペレータが操作するときに使用するパネルである。
【００３８】
また、画像読み取り装置１００は、原稿補助台８と、幅規制板９と、分離ローラ１０と、分離ローラ１０を駆動する駆動モータ（図示せず）と、予備搬送板１１と、摩擦片１２とを具備する。
【００３９】
原稿補助台８は、原稿６を積載する台であり、幅規制板９は、原稿６を搬送するときに、この搬送される原稿６が幅方向に動くことを規制する規制板である。また、矢印ＡＲ１の方向に回転する分離ローラ１０と、分離ローラ１０に付勢している予備搬送板１１とが、分離ローラ１０と摩擦片１２とによって形成されるくさび形状の場所まで、原稿６を搬送する。また、摩擦片６は、上記搬送された複数枚の原稿６を１枚ずつ分離する。
【００４０】
また、画像読み取り装置１００は、給送（搬送）ローラ１３ａと、給送ローラ１３ａを駆動する駆動モータ（図示せず）と、補助コロ１３ｂと、原稿搬送ガイド１４と、コンタクトセンサ１５と、読み取り基準板１６と、排紙ローラ１７ａと、排紙ローラ１７ａを駆動する駆動モータ（図示せず）と、補助コロ１７ｂとを具備する。
【００４１】
矢印ＡＲ２の方向に回転する給送ローラ１３ａと、給送ローラ１３ａに対向し、給送ローラ１３ａに付勢している補助コロ１３ｂとが、原稿６を挟んで搬送する。原稿搬送ガイド１４は、分離ローラ１０からコンタクトセンサ１５まで搬送される原稿６をガイドする。
【００４２】
コンタクトセンサ１５の内部には、原稿６を照射する光源であるＬＥＤ（図示せず）が設けられ、この光源を用いて、コンタクトセンサ１５が搬送されてくる原稿６を、ミリ単位系の解像度で読み取る。読み取り基準板１６は、コンタクトセンサ１５の上部（対向する位置）に設けられ、原稿６のバックグランドカラーである白色に塗られている。また、読み取り基準板１６は、コンタクトセンサ１５の読み取り幅全域を覆う幅を有する。
【００４３】
矢印ＡＲ３の方向に回転する排紙ローラ１７ａと、排紙ローラ１７ａに対向し、排紙ローラ１７ａに付勢している補助コロ１７ｂとが、画像処理装置１００の外方向である矢印ＡＲ４の方向に原稿６を排出する。
【００４４】
また、読み取り装置１００は、読み取った画像の解像度を変換するときに使用する変換値を設定するディップスイッチ（図示せず）を有する。このディップスイッチは、上記読み取ったミリ単位系の２次元画像における副走査方向の解像度を、インチ単位系の解像度に変換する場合に使用する変換値を、上記読み取った画像の上記副走査方向の読み取り解像度誤差に応じて設定するディップスイッチである。
【００４５】
また、制御基板２に設けられている解像度変換処理部（図示せず）は、上記読み取った画像の解像度を変換する処理部である。
【００４６】
すなわち、上記解像度変換処理部は、インチ系の解像度単位を用いて、コンタクトセンサ１５が読み取とった２次元画像の副走査方向の解像度を、上記ディップスイッチを介して設定された変換値を用いて、ミリ単位系の解像度の画像に変換する。
【００４７】
そして、画像読み取り装置１００に設けられている画像出力部（図示せず）を介して、上記変換された画像が出力されるようになっている。
【００４８】
次に、画像読み取り装置１００の動作について説明する。
【００４９】
画像読み取り装置１００は、給送ローラ１３ａが、原稿６を搬送し、コンタクトセンサ１５が、原稿６に記録されている（顕われている）画像を読み取る。
【００５０】
なお、画像読み取り装置１００は、主走査方向３００ｄｐｉ、副走査方向３００ｄｐｉのインチ単位系解像度によって画像を読み取る。
【００５１】
画像読み取り装置１００では、原稿６のメイン搬送を行う給送ローラ１３ａの外径の正規値を、１６ｍｍに設定している。そして、ローラの外径公差は、量産可能な公差である「±０．０５ｍｍ」としている。なお、給送ローラ１３ａの外径等によって、原稿６を読み取るときの原稿６の搬送量が決まる。
【００５２】
給送ローラ１３ａの外径公差によって、原稿６の正規の搬送量に対して、約±０．３％（±０．０５ｍｍ／１６ｍｍ）の搬送量誤差が発生する。この発生した搬送量誤差によって、副走査方向において、読み取り解像度の誤差が発生し、この読み取った画像が、副走査方向において伸縮することになる。この伸縮を定型サイズのＡ４サイズに換算すると、「±１ｍｍ」（＝２９７×０．３％）の伸縮になる。
【００５３】
そして、インチ単位系の解像度の画像であって、上記伸縮した画像を、正規の変換値（給送ローラ１３ａの外径が１６ｍｍである場合に使用する変換値）を用いて、ミリ単位系の画像に変換して出力すると、副走査方向に伸縮した画像が出力される。
【００５４】
そこで、インチ単位系の解像度の画像をミリ単位系の解像度の画像に変換する場合、上記正規の変換値とは異なる変換値を用いて変換し、この変換された画像を出力する。
【００５５】
次に、上記解像度変換について具体的に説明する。
【００５６】
ここでは、インチ単位系である３００×３００ｄｐｉの解像度で読み取った画像を、ミリ単位系のＧ３ファクシミリ装置の標準モード（Ｓｔｄ：３．８５Ｌｉｎｅ／ｍｍ×８Ｐｅｌ）で送信するために行う解像度変換について説明する。
【００５７】
従来例では、インチ単位系で読み取った画像の主走査方向の解像度を、３００ｄｐｉから２０３．１ｄｐｉ（２５．４／０．１２５）に変換し、副走査方向の解像度を、３００ｄｐｉから９７．８ｄｐｉ（２５．４／（１／３．８５））に変換して送信する。
【００５８】
ここで、画像読み取り装置１００に設けられている給送ローラ１３ａの外径寸法が、正規の値である１６ｍｍよりも０．３％大きい１６．０５ｍｍであると、３００×３００ｄｐｉの解像度で読み取るべき画像が、実際には、３００（主走査方向）ｄｐｉ×２９１．３（副走査方向）ｄｐｉの解像度で読み取られ、この読み取られた画像に対して、上述の解像度変換をすると、２０３．１ｄｐｉ×９７．８ｄｐｉの解像度に変換されるべき画像が、２０３．１ｄｐｉ（主走査方向）×９５．０（副走査方向）ｄｐｉの解像度に変換され送信される。
【００５９】
つまり、原稿６の副走査方向の寸法に対して、０．３％（Ａ４サイズでは約１ｍｍ）縮小された画像が送信される。
【００６０】
そこで、上記解像度変換をする場合、上記正規の変換値とは異なる変換値を用いて変換を行う。
【００６１】
すなわち、給送ローラ１３ａの外径が正規の値である１６ｍｍである場合には、読み取った副走査方向の解像度３００ｄｐｉに、正規の解像度変換値０．３２６を乗じて、解像度９７．８ｄｐｉの画像に変換するが、給送ローラ１３ａの外径が１６．０５ｍｍである場合、読み取った副走査方向の解像度２９１．３ｄｐｉに、上記正規の解像度変換値とは異なる解像度変換値０．３３６を乗じて、解像度９７．８ｄｐｉの画像に変換する。
【００６２】
ここで、上記解像度変換値０．３３６は、給送ローラ１３ａの外径が正規の値である場合に使用する正規の解像度変換値０．３２６に、補正係数１．０３（１６．０５ｍｍ／１６ｍｍ）を乗じた変換値である。
【００６３】
また、画像読み取り装置１００に設けられている給送ローラ１３ａの外径寸法が、正規の値である１６ｍｍよりも０．３％小さい１５．９５ｍｍである場合、また、上記正規の値である１６ｍｍに対して、０．３％以外の割合でずれている場合にも、同様に考えることができる。また、給送ローラの外径を１６ｍｍｍとしているが、１６ｍｍ以外の外径であっても、同様に考えることができる。
【００６４】
さらに、上述の解像度変換と補正は、ファインモード、スーパーファインモードで、画像をファクシミリ送信する場合にも同様に考えることができる。
【００６５】
画像読み取り装置１００によれば、２次元画像を、ミリ単位系の解像度を用いて画像読み取り、この読み取った画像の副走査方向の解像度をインチ単位系の解像度に変換する場合に使用する変換値を、上記読み取った画像の上記副走査方向の読み取り解像度誤差に応じて設定し、この設定された変換値を用いて、上記画像を上記インチ単位系の解像度に変換し、この変換した画像を出力するので、原稿６を搬送する給送ローラ１３ａの外径寸法の精度を向上させなくても、副走査方向において、伸縮の少ない画像を出力することができる。
【００６６】
なお、上記ディップスイッチ介して、解像度誤差に応じた変換値を設定する代わりに、コンタクトセンサ１５が画像を読み取るときに発生する副走査方向の解像度誤差を検知する解像度誤差検知手段を、画像読み取り装置１００に設け、上記解像度誤差検知手段が検知した解像度誤差に応じて、上記変換値を設定するようにしてもよい。
【００６７】
ここで、上記解像度誤差検知手段として、原稿６の有無を検知するセンサを原稿６の搬送路に設け、このセンサ上を原稿６が通過する時間を求めることによって原稿６の搬送速度の誤差を求め、この搬送速度の誤差から、原稿を読み取るときに発生する解像度誤差を検知する手段を採用することができる。
【００６８】
［第２の実施例］
第２の実施例である複合装置１００ａは、第１の実施例である画像読み取り装置１００に、ファクシミリ送受信部、記録部を設け、ファクシミリ送信等する場合、読み取った画像データを解像度変換した後に送信する装置である。
【００６９】
図２は、本発明の第２の実施例である複合装置１００ａの構成を示す断面図である。
【００７０】
図３は、複合装置１００ａの外観を示す斜視図である。
【００７１】
図４は、複合装置１００ａにおいて、原稿台１０４、操作部カバー１１６等を移動した状態を示す断面図である。
【００７２】
複合装置１００ａは、記録シートを供給する給紙系Ａと、この供給された記録シートに画像を記録する記録系Ｂと、原稿に記録されている画像を読み取る読み取り系Ｃと、オペレータが複合装置１００ａを操作するときに使用する操作部Ｄとを有する。
【００７３】
また、複合装置１００ａは、本体上側カバー１０１と、本体下側カバー１０２と、複合装置１００ａの制御を行う制御部１０２ａと、複合装置１００ａに電力供給する電源ユニット１０２ｂとを有する。
【００７４】
なお、記録シートとして、普通紙、プラスチックシート、その他の材質であってインクを転写し得る材質のものを用いることが可能である。また、複合装置１００ａでは、Ｂ４サイズまたはＡ４サイズにカットされた普通紙を記録シートとして用いる。
【００７５】
次に、給紙系Ａについて説明する。
【００７６】
給紙系Ａは、記録系Ｂが画像を記録する場合に使用する記録シートを、記録系Ｂに供給する系である。
【００７７】
記録シート１２０は、記録シートトレー１２１と、矢印ＡＲ９方向に引出し可能な記録シート補助トレー１２２とによって、記録シート１２０を複数枚積載する。なお、上記積載記録シートの枚数は、本体上側カバー１０１の背面に設けてある記録シート高さ規制板１０１ａによって制限される。
【００７８】
また、記録シートサイドガイド１２３が、記録シート１２０が幅方向へずれることを防止する。記録シート１２０の底部に設けられている圧板１２４は、回転軸（図示せず）を中心にして、回動できるようになっている。そして、圧板ばね１２４ａが圧板１２４に付勢することによって、記録シート１２０が給紙ローラ１２５へ接するようになっている。
【００７９】
給紙ローラ１２５が、矢印ＡＲ１０の方向に回転することによって、記録シート１２０を搬送し、この搬送された記録シート１２０は、爪分離（図示せず）によって分離され、１枚ずつ記録系Ｂへ搬送される。
【００８０】
次に、記録系Ｂについて説明をする。
【００８１】
複合装置１００ａでは、記録系Ｂとして、インクジェット方式の記録系を採用している。
【００８２】
記録系Ｂは、他機から受け取った画像、または、読み取り系Ｃから受け取った画像を、給紙系Ａが供給する記録シート１２０に記録する系である。
【００８３】
ＬＦローラ１２７と、記録シート押え１２６に設けられ、ＬＦローラ１２７と対向するピンチローラ１２６ａとが記録シートを挟み込み、給紙系Ａより搬送されてきた記録シートをガイドし搬送する。なお、ピンチローラ１２６ａは、ＬＦローラ１２７に付勢されている。
【００８４】
そして、記録カートリッジ１２８とプラテン板１２９との間を記録シート１２０が通るときに、記録カートリッジ１２８が記録する。
【００８５】
なお、記録系Ｂにおいては、モータ等で構成される駆動系（図示せず）によって、記録カートリッジ１２８が、記録シート１２０の幅方向に移動しながらシリアル印字する。
【００８６】
そして、印字記録された記録シート１２０の印字面を汚さないように、排紙ローラ１３０ａと、排紙ローラ１３０ａと対向する拍車ローラ１３０ｂとが、上記印字記録された記録シート１２０を、矢印ＡＲ１１の方向へ搬送し、排紙カバー１３１と、排紙補助トレーへ１３２との上に、上記搬送された記録シートを積載する。なお、排紙補助トレー１３２は、図３に示す矢印ＡＲ１３の方向に移動できるようになっている。
【００８７】
また、図４に示すように、原稿積載台１０４が、本体上側カバー１０１に設けられている回転軸（図示せず）を中心にして、矢印ＡＲ１５の方向に回転できるようになっている。そして、記録カートリッジ１２８を、オペレータが、矢印ＡＲ１６の方向に、容易に着脱できるようになっている。
【００８８】
次に、読取系Ｃの構成を説明する。
【００８９】
読み取り系Ｃは、原稿１０３に光を照射して、この反射光を電気信号に変換し、この変換した電気信号を、操作モードに応じて他機に伝送し、または、記録系Ｂに伝送する系である。
【００９０】
読み取り系Ｃは、原稿台１０４と、原稿補助トレー１０５と、幅規制板１０６ａ、１０６ｂと、分離ローラ１０７と、分離ローラ１０７を駆動する駆動モータ（図示せず）と、予備搬送板１０８と、摩擦片１０９とを具備する系である。
【００９１】
ここで、原稿補助トレー１０５は、原稿１０３を積載するトレーであり、幅規制板１０６ａ、１０６ｂは、原稿１０３を搬送するときに、この搬送される原稿１０３が幅方向に動いて斜行等することを規制する規制板である。また、矢印ＡＲ５の方向に回転する分離ローラ１０７と、分離ローラ１０７に付勢している予備搬送板１０８とが、分離ローラ１０７と摩擦片１０９とによって形成されるくさび形状の場所まで、原稿１０３を搬送するようになっている。また、摩擦片１０９は、上記搬送された複数枚の原稿１０３を１枚ずつ分離する。
【００９２】
また、読み取り系Ｃは、給送ローラ１１０ａと、給送ローラ１１０ａを駆動する駆動モータ（図示せず）と、補助コロ１１０ｂと、原稿搬送ガイド１１１と、コンタクトセンサ１１２と、読み取り基準板１１３と、排紙ローラ１１４ａと、排紙ローラ１１４ａを駆動する駆動モータ（図示せず）と、補助コロ１１４ｂとを具備する系である。
【００９３】
ここで、矢印ＡＲ６の方向に回転する給送ローラ１１０ａと、給送ローラ１３１０ａに対向し、給送ローラ１１０ａに付勢している補助コロ１１０ｂとが、原稿１０３を挟み込んで搬送する。原稿搬送ガイド１１１は、分離ローラ１０７からコンタクトセンサ１１２まで、搬送される原稿１０３をガイドする。
【００９４】
また、コンタクトセンサ１１２の内部には、原稿１０３を照射する光源であるＬＥＤが設けられ、この光源を用いて、コンタクトセンサ１１２が搬送されてくる原稿を読み取る。読み取り基準板１１３は、コンタクトセンサ１１２の上部に設けられ、原稿１０３のバックグランドカラーである白色に塗られている。また、読み取り基準板１１３の幅は、コンタクトセンサ１１２の読み取り幅全域を覆う幅である。
【００９５】
また、矢印ＡＲ７の方向に回転する排紙ローラ１１４ａと、排紙ローラ１１４ａに対向し、排紙ローラ１１４ａに付勢している補助コロ１１４ｂとは、複合装置１００ａ外方向である矢印ＡＲ８の方向に、原稿１０３を排出する。
【００９６】
そして、上記排紙された原稿１０３が、原稿排紙トレー１１５に積載される。また、原稿排紙トレー１１５は、図３に示す矢印ＡＲ１２の方向に移動可能であり、複合装置１００ａが、原稿の読み取り動作以外の動作をするときには、複合装置１００ａ機内に収納することができるようになっている。
【００９７】
次に、操作部Ｄについて説明する。
【００９８】
操作部Ｄは、オペレータが、コピー操作、送信操作、スキャナ操作等の操作を行うときに使用する操作部である。
【００９９】
操作部Ｄの操作部カバー１１６は、ダイヤルキー１１６ａ等、各種操作に応じて押し下げるキーと、表示部１１６ｂとを有する。操作部Ｄは、読み取り系Ｃの原稿搬送機構の上部に設けられ、図４に示す矢印ＡＲ１４の方向に回動し、この回動によって、上記原稿搬送機構を、オペレータが保守点検等することができる。また、操作部Ｄの一端には、送信、受信を行うときに使用する電話回線用のモジュラｍ１が設けられている。
【０１００】
次に、複合装置１００ａの制御系について説明する。
【０１０１】
図５は、複合装置１００ａの制御系の構成を示すブロック図である。
【０１０２】
複合装置１００ａは、複合装置１００ａを制御する制御部１０２ａと、複合装置１００ａ全体に電力を供給する電源ユニット１０２ｂと、モデム基板ユニット２ａと、電話機を接続する通信基板ユニット１０２ｃと、操作部Ｄから入力した内容等を表示する表示部１１６ｂとを有する。
【０１０３】
制御部１０２ａは、複合装置１００ａ全体の制御を行うＣＰＵ２ｂと、各種プログラムや各種データ等を格納しているＲＯＭ２ｃと、ＲＡＭ２ｄと、ラインメモリ２ｅと、符号化／複合化部２ｆと、メモリバッファ２ｇと、入出力切換インタフェース２ｈとを有する。なお、ＲＡＭ２ｄは、ＣＰＵ２ｂのワークエリアとして使用され、記録枚数等の各種データを一時的に保存し、各種データを保管し登録するメモリであり。
【０１０４】
ラインメモリ２ｅは、画像の各ラインのイメージを格納するラインメモリであって、原稿を送信しまたは原稿をコピーする場合、原稿読み取り系Ｃから送られてきた１ライン分のイメージデータを格納し、また、受信した原稿を記録する場合、受信し復号化されている画像１ライン分のデータを格納する。
【０１０５】
そして、ラインメモリ２ｅに格納した画像に、ＣＰＵ２ｂが記録系制御コードを追加し、この記録系制御コードが追加された画像を、入出力切換インタフェース２ｈを介して、記録系Ｂの有するＣＰＵＢ１に出力し、ＣＰＵＢ１が上記記録系制御コードを解読し画像を記録する。
【０１０６】
また、符号／復号化部２ｆは、送信する画像情報をＭＨ符号化方式等を用いて符号化し、また、受信した符号化画像データを複号化してイメージデータに変換するものである。メモリバッファ２ｇは、送受信をする際に、符号化画像データを格納するバッファメモリである。
【０１０７】
また、プリンタインタフェース２ｉを介して、画像データ、テキストデータを、コンピュータＥから、記録系Ｂへ入力することができる。また、読み取り系Ｃが読取った画像データを、コンピュータＥへ送出することができる。
【０１０８】
次に、複合装置１００ａの動作について説明する。
【０１０９】
複合装置１００ａは、画像読み取り装置１００と同様に、給送ローラ１１０ａ、コンタクトセンサ１１２等を用いて、原稿１０３に記録されている画像を読み取る。
【０１１０】
そして、画像読み取り装置１００と同様に、上記読み取った画像を、正規の変換値とは異なる変換値を用いて変換し、この変換した画像を出力する。
【０１１１】
また、モデム２ａ、ＮＣＵ１０２ｃ等を介して、上記変換された画像を、複合装置１００ａが、送信先のファクシミリ装置に送信する。
【０１１２】
なお、上記ファクシミリ送信の代りに、記録系Ｂが、上記変換された画像を記録してもよい。また、プリンタインタフェース２ｉを介して、上記変換された画像を、複合装置１００ａの外部に設けられている周辺コンピュータＥ等に出力してもよい。
【０１１３】
また、複合装置１００ａでは、給紙系Ａにおいて、記録シートを分離する方式として爪分離方式を使用しているが、この方式に代えて、摩擦分離方式、リタード分離方式等の他の分離方式を採用してもよい。
【０１１４】
複合装置１００ａによれば、原稿１０３を搬送する給送ローラ１１０ａの外径寸法の精度を向上しなくても、副走査方向において、伸縮の少ない画像を、送信し、記録することができる。
【０１１５】
［第３の実施例］
第３の実施例は、第２の実施例において採用しているインクジェット記録方式に代えて、トナーを使用する電子写真記録方式（レーザビームプリンタ）、または、インクシートとサーマルヘッドを使用する熱転写記録方式等を採用する実施例である。
【０１１６】
第３の実施例においても、副走査方向において、伸縮の少ない画像を記録することができる。
【０１１７】
上記各実施例では、画像を読み取る場合、給送ローラを用いて、原稿を搬送しているが、原稿を固定し、コンタクトセンサを移動することによって、画像を読み取るようにしてもよい。
【０１１８】
また、上記各実施例では、コンタクトセンサを用いて画像を読み取っているが、これに代えて、光源とＣＣＤを用いた縮小光学系によって画像を読み取るようにしてもよい。
【０１１９】
また、上記各実施例では、インチ単位系のスキャナで画像を読み取り、この読み取った画像をミリ単位系に変換しているが、ミリ単位系のスキャナで画像を読み取り、この読み取った画像をインチ単位系に変換してもよい。
【０１２０】
また、画像読み取り装置１００、複合装置１００ａは、画像処理装置の例である。
【０１２１】
【発明の効果】
本発明によれば、原稿読み取りによって得られた画像を出力するタイミングで、原稿搬送するローラの寸法によって発生する解像度変換の誤差を補正するので、解像度変換値を設定するための特定の動作を必要としないという効果を奏する。
【図面の簡単な説明】
【図１】本発明の第１の実施例である画像読み取り装置１００の構成を示す断面図である。
【図２】本発明の第２の実施例である複合装置１００ａの構成を示す断面図である。
【図３】複合装置１００ａの外観を示す斜視図である。
【図４】複合装置１００ａにおいて、原稿台１０４、操作部カバー１０６等を移動した状態を示す断面図である。
【図５】複合装置１００ａの制御系の構成を示すブロック図である。
【図６】従来の画像読み取り装置２００の構成を示す図である。
【符号の説明】
１００…画像読み取り装置
１００ａ…複合装置、
１３ａ、１１０ａ…給送ローラ、
１５、１１２…コンタクトセンサ、
２…制御基板、
１０２ａ…制御部。
【図１】
0003780173.tif 000002
【図２】
0003780173.tif 000003
【図３】
0003780173.tif 000004
【図４】
0003780173.tif 000005
【図５】
0003780173.tif 000006
【図６】
0003780173.tif 000007